(57)【要約】【課題】外受け皿の内底面に内受け皿を安定に支持し据え付けして、着火線香をばらつきなく集束しつつ横置できるようにする。【解決手段】方形網材１の中心線上に沿う帯域を対向する一辺から他辺に亘り下方へ向け凹曲して線香２を横置する湾曲形又はＶ字形の線香受け皿部３を形成すると共に、方形網材１の他の対向する二辺に沿う耳部を下方へ向け折曲して上記線香受け皿部３に並行する一対のスタンド４を並成し、該スタンド４の下辺を線香外受け皿６の内底面に支持する構成とした網製の線香内受け皿５。【選択図】        図２
2005177311.tif 000002
【特許請求の範囲】
【請求項１】
方形網材の中心線上に沿う帯域を対向する一辺から他辺に亘り下方へ向け湾曲形又はＶ字形に凹曲して線香を横置する線香受け皿部を形成すると共に、方形網材の他の対向する二辺に沿う耳部を下方へ向け折曲して上記湾曲形又はＶ字形の線香受け皿部に並行する一対のスタンドを並成したことを特徴とする網製の線香受け皿。
【発明の詳細な説明】
【技術分野】
【０００１】
本発明は墓前や仏前等に設置される線香受け皿、殊に線香外受け皿内に設置できる線香内受け皿の構造に関する。
【背景技術】
【０００２】
特許文献１はその第２図と第３図において、線香外受け皿内に設置される方形網材から成る線香内受け皿を開示している。この網製の線香内受け皿は、方形網材の対向する一辺から他辺に亘る中心線上に沿う帯域を下方へ湾曲形又はＶ字形に凹曲して線香を横置する線香受け皿部を形成すると共に、方形網材の他の対向する二辺に沿う耳部を水平に張り出して一対の支持翼を形成し、該支持翼を外受け皿の対向する立ち上げ壁の上面に載せて全体を支持する構成を有している。
【特許文献１】実開平１−１３０４６３号公報
【発明の開示】
【発明が解決しようとする課題】
【０００３】
上記線香内受け皿は湾曲形又はＶ字形の線香受け皿部によって線香を集束しつつ横置できる利点を有する。
【０００４】
然しながら上記特許文献１に示す網製の線香内受け皿は支持翼が外受け皿の立ち上げ壁に露出し、又該支持翼の端縁（網材の縁）が立ち上げ壁の側方へ張り出し美観を損なう問題を有するばかりか、該外受け皿の立ち上げ壁の上面（支持翼の表面）から線香の燃焼灰が落下する懸念を有している。
【０００５】
又湾曲形又はＶ字形の線香受け皿部の下死点が外受け皿の内底面に当接して、支持翼が立ち上げ壁の上面から浮いてしまい安定に支持できない問題点を有し、仮に外受け皿の内底面を深くしても支持翼がずり落ち、全体がずり落ちる問題を招来する。
【課題を解決するための手段】
【０００６】
本発明は上記問題を解決する網製の線香受け皿を提供する。この網製の線香受け皿は、方形網材の中心線上に沿う帯域を対向する一辺から他辺に亘り下方へ向け湾曲形又はＶ字形に凹曲して線香を横置する線香受け皿部を形成すると共に、方形網材の他の対向する二辺に沿う耳部を下方へ向け折曲して上記湾曲形又はＶ字形の線香受け皿部に並行する一対のスタンドを並成した構成を有する。
【発明の効果】
【０００７】
上記網製の線香受け皿は上記スタンドの下端縁を以って線香外受け皿の内底面に安定に支持し据え付けでき、上記ずり落ちの問題を有効に解消できる。
【０００８】
又外受け皿の対向する立ち上げ壁の内側に上記スタンドを以って網製の線香内受け皿として設置できるから、上記特許文献１における支持翼が外受け皿の立ち上げ壁の表面に露出して外観を損なう問題や、線香の燃焼灰が該支持翼の上面を伝って外側へ落下する問題を有効に防止できる。
【０００９】
加えて上記スタンドによって外受け皿の内底面に支持する構成により、線香受け皿部を外受け皿の内底面から浮かし支持するか、少なくとも外受け皿の内底面に着接する構成を容易に採ることができ、線香内受け皿のずり落ち等の問題を解消できる。
【００１０】
よって湾曲形又はＶ字形の線香受け皿部によって横置した線香を集束する効果を有効に発揮できる。
【発明を実施するための最良の形態】
【００１１】
本発明に係る線香内受け皿は方形の金属製の網材１、即ち金属製の線材を正格子形又は斜め格子形に編み組みした網材１から成る。
【００１２】
図２Ａ，図３Ａに示すように、上記方形網材１の中心線上に沿う帯域を対向する一辺から他辺に亘り下方へ向け湾曲形に凹曲して線香２を横置する湾曲形線香受け皿部３を形成する。
【００１３】
そして上記方形網材１の他の対向する二辺に沿う耳部を下方へ向け折曲して上記湾曲形線香受け皿部３に並行する一対のスタンド４を並成し、網製の線香受け皿５、即ち外受け皿６と一緒に使用できる内受け皿５を形成する。
【００１４】
又は図２Ｂ，図３Ｂに示すように、上記方形網材１の中心線上に沿う帯域を対向する一辺から他辺に亘り下方へ向けＶ字形に凹曲して着火線香２を横置するＶ字形線香受け皿部３を形成する。
【００１５】
そして上記と同様、上記方形網材１の他の対向する二辺に沿う耳部を下方へ向けＶ字形に折曲して上記Ｖ字形線香受け皿部３に並行する一対のスタンド４を並成し、網製の線香内受け皿５を形成する。
【００１６】
図１，図２に示すように、線香外受け皿６は平らな内底面９を有する内受け皿収容部７を有し、該内受け皿収容部７の四辺に該内受け皿収容部７を画成する立ち上げ壁８を有し、内受け皿収容部７の底壁下面から据え付け脚１２を突設している。又は線香外受け皿としては墓前に設置する、線香横置部をくり抜いた石製のものを使用できる。
【００１７】
上記何れの例においても、上記スタンド４はその下端縁を以って上記外受け皿６の内受け皿収容部７の平坦な内底面９に着接し内受け皿５全体を支持する。即ちスタンド下辺を外受け皿６の内底面９に対する支持部１０とする。
【００１８】
上記スタンド４の下辺は湾曲形又はＶ字形線香受け皿部３の下死点１１より下方へ僅かに突出し、該突出部を以って外受け皿６の内底面９に支持し、線香受け皿部３の下死点１１を外受け皿６の内底面９に対し浮かし支持する。
【００１９】
又は上記スタンド４の下辺を線香受け皿部３の下死点１１と略同一レベルになるように折曲し、スタンド下辺を外受け皿６の内底面９に支持した時に、上記線香受け皿部３の下死点１１が外受け皿６の内底面９に着接するように設計する。
【００２０】
上記何れのスタンド構成によっても、線香受け皿部３と外受け皿６の内底面９との間に空間を形成し、網製の線香内受け皿５の下面側からの空気の供給を促進することができる。
【００２１】
上記網製の線香内受け皿５は上記スタンド４の下端縁を以って線香外受け皿６の内底面９に安定に支持し、湾曲形又はＶ字形の線香受け皿部３によって横置された線香２を集束できる。
【００２２】
又外受け皿６の対向する立ち上げ壁８の内側に上記スタンド４を以って網製の線香内受け皿５を設置する構成を採ることができるから、美観を保ちつつ、線香２の燃焼灰が外側へ落下する問題を有効に解消できる。
【００２３】
加えて上記スタンド４によって外受け皿６の内底面９に支持する構成により、線香受け皿部３を外受け皿６の内底面９から浮かし支持するか、少なくとも外受け皿６の内底面９に着接する構成を容易に採ることができ、線香内受け皿５のずり落ち等の問題を解消できる。上記受け皿５は立ち上げ壁８を有する外受け皿６に使用する場合に限定されない。
【図面の簡単な説明】
【００２４】
【図１】網製線香内受け皿を線香外受け皿内に内装前の状態を以って示す縦断面図。
【図２】Ａは第１実施形態の網製線香内受け皿を線香外受け皿内に内装した状態を示す横断面図、Ｂは第２実施形態の網製線香内受け皿を線香外受け皿内に内装した状態を示す横断面図。
【図３】Ａは第１実施形態の網製線香内受け皿の側面図、Ｂは第２実施形態の網製線香内受け皿の側面図。
【符号の説明】
【００２５】
１…網材、２…線香、３…湾曲形又はＶ字形の線香受け皿部、４…スタンド、５…線香受け皿（線香内受け皿）、６…線香外受け皿、７…内受け皿収容部、８…立ち上げ壁、９…内底面、１０…支持部、１１…下死点、１２…据え付け脚。
【図１】
2005177311.tif 000003
【図２】
2005177311.tif 000004
【図３】
2005177311.tif 000005